(57)【要約】      （修正有）【課題】下部構造の地上部分のみならず地下部分も合わせて耐震補強する。【解決手段】高架橋の耐震補強構造１は、一対の基礎梁６，６に沿ってかつ橋軸から遠い側の地盤に鋼矢板１３ａを埋設するとともに、直交基礎梁７のうち、隣り合う一対の直交基礎梁７，７に沿ってかつ互いに対向する側の地盤に鋼矢板１３ｂを埋設し、鋼矢板１３ａ及び鋼矢板１３ｂの頭部が接合されるように、かつ基礎構造５と非連結となるように、鉄筋コンクリート床板６２を構成してなり、鋼矢板１３ａ、鋼矢板１３ｂ及び鉄筋コンクリート床板６２は、耐震補強工事の際にあらたに増設される第２の基礎構造としての基礎構造６３を形成する。耐震補強構造１は、一対の基礎梁６，６及び一対の直交基礎梁７，７で取り囲まれた矩形状平面空間の直上に立体ブレースとしての立体ダンパーブレース７１を配置してなる。【選択図】図１
2010101108.tif 000002
【特許請求の範囲】
【請求項１】
高架橋の橋軸方向に沿って対向配置された一対の基礎梁と該一対の基礎梁にほぼ直交するように配置された直交基礎梁とが矩形状又は梯子状に緊結されてなり前記高架橋の上部構造を支持するラーメン架構が立設された第１の基礎構造と、前記一対の基礎梁に沿ってかつ橋軸から遠い側の地盤にそれぞれ埋設されるとともに前記直交基礎梁のうち、隣り合う一対の直交基礎梁に沿ってかつ互いに対向する側の地盤にそれぞれ埋設された鋼矢板とそれらの頭部が接合されるようにかつ前記第１の基礎構造と非連結となるように構築された鉄筋コンクリート床板とからなる第２の基礎構造と、前記一対の基礎梁及び前記隣り合う一対の直交基礎梁に囲まれた矩形状平面空間の直上に複数のブレース本体を逆多角錐状に配置するとともにそれらの上端を前記ラーメン架構を構成する柱のうち、前記矩形状平面空間を取り囲む柱の頭部近傍に接合しそれらの下端を前記鉄筋コンクリート床板の中央近傍に接合してなる立体ブレースとを備えるとともに、前記複数のブレース本体と前記鉄筋コンクリート床板との間にダンパーを介在させることで前記立体ブレースを立体ダンパーブレースとしたことを特徴とする高架橋の耐震補強構造。
【請求項２】
前記鉄筋コンクリート床板を前記一対の基礎梁の上方に配置した請求項１記載の高架橋の耐震補強構造。
【請求項３】
前記鉄筋コンクリート床板を前記一対の基礎梁の下方に配置した請求項１記載の高架橋の耐震補強構造。
【発明の詳細な説明】
【技術分野】
【０００１】
本発明は、主として鉄道用に係る高架橋の耐震補強構造に関する。
【背景技術】
【０００２】
鉄道用高架橋の下部構造は、通常、鉄筋コンクリートのラーメン架構として構築されることが多いが、その設計施工の際には、地震時における高架橋の耐震性が十分検討されなければならない。特に、橋軸直交方向については、列車の脱線を未然に防止できるよう、同方向の剛性を十分に高めておく必要がある。
【０００３】
かかる状況下、本出願人は鉄筋コンクリートのラーメン架構内にダンパーブレースを配設した高架橋の下部構造を研究開発し、耐震性の向上を図ってきた。
【０００４】
ここで、既設の高架橋にダンパーブレースを配置する場合には、地上に構築される部分のみならず、地下部分についても耐震性を向上させる必要があるところ、基礎梁の再施工には多額の費用と時間を要する。
【０００５】
そのため、本出願人は、ラーメン架構を支持する既設の杭から離間した位置にあらたな杭を増し杭として設けるとともに、該増し杭の杭頭と梁の両端近傍又は柱の頭部近傍とをブレースを介して相互に連結する耐震補強構造を開発した。
【０００６】
【特許文献１】特開２００１−０２０２２８号公報
【特許文献２】特開２００４−２７０１６８号公報
【発明の開示】
【発明が解決しようとする課題】
【０００７】
上述した耐震補強構造によれば、鉛直荷重は従前通り、既設の杭で支持する一方、地震時水平力については、その一部をブレースを介して増し杭に伝達させることが可能となり、かくして高架橋の下部構造を地上部分のみならず地下部分についても耐震補強することが可能となる。
【０００８】
しかしながら、かかる耐震補強構造であっても、増設される杭を大断面杭としなければならないため、経済性の観点では未だ開発の余地があった。
【課題を解決するための手段】
【０００９】
本発明は、上述した事情を考慮してなされたもので、下部構造の地上部分のみならず地下部分も合わせて耐震補強可能な高架橋の耐震補強構造を提供することを目的とする。
【００１０】
上記目的を達成するため、本発明に係る高架橋の耐震補強構造は請求項１に記載したように、高架橋の橋軸方向に沿って対向配置された一対の基礎梁と該一対の基礎梁にほぼ直交するように配置された直交基礎梁とが矩形状又は梯子状に緊結されてなり前記高架橋の上部構造を支持するラーメン架構が立設された第１の基礎構造と、前記一対の基礎梁に沿ってかつ橋軸から遠い側の地盤にそれぞれ埋設されるとともに前記直交基礎梁のうち、隣り合う一対の直交基礎梁に沿ってかつ互いに対向する側の地盤にそれぞれ埋設された鋼矢板とそれらの頭部が接合されるようにかつ前記第１の基礎構造と非連結となるように構築された鉄筋コンクリート床板とからなる第２の基礎構造と、前記一対の基礎梁及び前記隣り合う一対の直交基礎梁に囲まれた矩形状平面空間の直上に複数のブレース本体を逆多角錐状に配置するとともにそれらの上端を前記ラーメン架構を構成する柱のうち、前記矩形状平面空間を取り囲む柱の頭部近傍に接合しそれらの下端を前記鉄筋コンクリート床板の中央近傍に接合してなる立体ブレースとを備えるとともに、前記複数のブレース本体と前記鉄筋コンクリート床板との間にダンパーを介在させることで前記立体ブレースを立体ダンパーブレースとしたものである。
【００１１】
また、本発明に係る高架橋の耐震補強構造は、前記鉄筋コンクリート床板を前記一対の基礎梁の上方に配置したものである。
【００１２】
また、本発明に係る高架橋の耐震補強構造は、前記鉄筋コンクリート床板を前記一対の基礎梁の下方に配置したものである。
【００１３】
本発明は、地上部分であるラーメン架構と該ラーメン架構が立設された地下部分の基礎構造（第１の基礎構造）とからなる高架橋の下部構造を耐震補強の対象としたものであり、第１の基礎構造は、高架橋の橋軸方向に沿って対向配置された一対の基礎梁と該一対の基礎梁にほぼ直交するように配置された直交基礎梁とを矩形状又は梯子状に緊結して構成してある。
【００１４】
そして、本発明においては、一対の基礎梁の橋軸から遠い側と、隣り合う一対の直交基礎梁の互いに対向する側の地盤のそれぞれにシートパイルとも呼ばれる鋼矢板を埋設するとともに、該鋼矢板の頭部が接合されるようにかつ第１の基礎構造と非連結となるように鉄筋コンクリート床板をあらたに構築し、これらを第２の基礎構造とした上、矩形状平面空間を取り囲む柱の頭部近傍に複数のブレース本体を接合し、それらの下端を鉄筋コンクリート床板の中央近傍に接合して立体ブレースを構築する。
【００１５】
このようにすると、ラーメン架構を介して既設の基礎構造である第１の基礎構造に流れていた地震時水平力は、耐震補強後、その一部が、増設された基礎構造である第２の基礎構造に立体ブレースを介して流れ、一対の基礎梁に沿って埋設された鋼矢板と地盤との摩擦で生じる引抜き抵抗力や圧縮抵抗力で支持されるとともに、一対の直交基礎梁に沿って埋設された鋼矢板と地盤との摩擦で生じるせん断抵抗力で支持される。
【００１６】
そのため、立体ブレースによる地上部分の耐震補強と相俟って、高架橋の下部構造を全体的に耐震補強することが可能となる。
【００１７】
また、ダンパーは、複数のブレース本体を介して作用するラーメン架構からの強制水平変形（水平力）と鉄筋コンクリート床板からの強制回転変形（曲げモーメント）とが入力することでエネルギー吸収を行うが、第２の基礎構造の回転剛性が小さくて鉄筋コンクリート床板が大きく回転してしまう場合には、ダンパーに入力する相対変形量が小さくなって変形が進行せず、本来のエネルギー吸収能が十分に発揮されない懸念がある。
【００１８】
しかし、本発明に係る高架橋の耐震補強構造においては、橋軸方向に沿った一対の基礎梁に沿って埋設される鋼矢板は、橋軸から近い側ではなく、橋軸から遠い側で地盤に埋設されるので、第２の基礎構造の回転中心から引抜き抵抗力や圧縮抵抗力の作用点までの距離が大きくなり、第２の基礎構造の回転剛性が増大する。
【００１９】
そのため、ダンパーに入力する相対変形量が大きくなって変形が進行し、本来のエネルギー吸収能が十分に発揮される。
【００２０】
加えて、第２の基礎構造の回転剛性が小さい場合には、ダンパーの耐力を単に大きくしても、鉄筋コンクリート床板の回転量が大きくなるだけでダンパーの変形が進行しない懸念があったが、本発明によればかかる懸念がなくなるため、ダンパーの耐力を所望の大きさに設定することが可能となる。
【００２１】
立体ブレースは、３以上のブレース本体が同一構面に配置されない、換言すれば３以上のブレース本体を互いに平行でない２つの異なる構面に配置してなるブレースという意味であって、ブレース本体が４本の場合、逆多角錐状は逆四角錐状となる。さらには、矩形状平面空間が正方形であってブレース本体の下端を鉄筋コンクリート床板の中央に接合した場合、立体ブレースの形状は、正四角錐の上下を逆にした形状となる。
【００２２】
なお、本明細書では、狭義のブレースに加えて、ダンパー機構を組み込んだダンパーブレースを包摂する概念として、ブレースなる用語を広義に用いるものとする。
【００２３】
鋼矢板は、第１の基礎構造を構成する基礎梁や直交基礎梁に接触してもかまわないが、構造的には互いに縁を切って非連結とする。かかる構成によって、施工の効率化を図ることができるとともに、第１の基礎構造や該第１の基礎構造に立設されたラーメン架構との相互作用が低減され、設計も容易となる。
【００２４】
鋼矢板と鉄筋コンクリート床板との接合構造は、立体ブレースから伝達される引抜き力や圧縮力が鋼矢板に伝達される限り、任意の構造を採用することが可能であり、剛接合でもよいし、ピン接合でもかまわない。
【００２５】
鉄筋コンクリート床板は、橋軸方向に沿った一対の基礎梁を越えてその外側に延設されるが、その場合、鉄筋コンクリート床板を一対の基礎梁の上方又は下方に配置することで、両者の干渉を回避する。
【発明を実施するための最良の形態】
【００２６】
以下、本発明に係る高架橋の耐震補強構造の実施の形態について、添付図面を参照して説明する。なお、従来技術と実質的に同一の部品等については同一の符号を付してその説明を省略する。
【００２７】
図１乃至図３は、本実施形態に係る高架橋の耐震補強構造を示した図である。これらの図でわかるように本実施形態に係る高架橋の耐震補強構造１は、地上部分であって一対の柱８，８と該柱の頭部に架け渡された梁９とで構成してなるラーメン架構４と該ラーメン架構が立設された第１の基礎構造としての地下部分の基礎構造５とからなる高架橋の下部構造３を耐震補強の対象としたものであり、基礎構造５は、高架橋の橋軸方向に沿って対向配置された一対の基礎梁６，６と該一対の基礎梁にほぼ直交するように配置された複数の直交基礎梁７とを梯子状に緊結して構成してある。かかる基礎構造５は、橋軸方向に沿って連続的に構築され、地上部分であるラーメン架構４を介して高架橋の上部構造２を支持している。
【００２８】
本実施形態に係る耐震補強構造１は、一対の基礎梁６，６に沿ってかつ橋軸から遠い側の地盤に鋼矢板１３ａを埋設するとともに、直交基礎梁７のうち、隣り合う一対の直交基礎梁７，７に沿ってかつ互いに対向する側の地盤に鋼矢板１３ｂを埋設し、鋼矢板１３ａ及び鋼矢板１３ｂの頭部が接合されるように、かつ基礎構造５と非連結となるように、鉄筋コンクリート床板６２を構成してなり、鋼矢板１３ａ、鋼矢板１３ｂ及び鉄筋コンクリート床板６２は、耐震補強工事の際にあらたに増設される第２の基礎構造としての基礎構造６３を形成する。
【００２９】
耐震補強構造１は、一対の基礎梁６，６及び一対の直交基礎梁７，７で取り囲まれた矩形状平面空間の直上に立体ブレースとしての立体ダンパーブレース７１を配置してなる。
【００３０】
立体ダンパーブレース７１は、矩形状平面空間の直上に４本のブレース本体７２を逆四角錐状に配置するとともに、それらの上端をラーメン架構４を構成する柱８のうち、矩形状平面空間を取り囲む柱８の頭部近傍に接合し、それらの下端を履歴減衰ダンパー７３を介して鉄筋コンクリート床板６２の中央近傍に接合して構成してあり、ラーメン架構４からの地震時水平力を基礎構造６３に伝達するようになっている。
【００３１】
ここで、鉄筋コンクリート床板６２は図１でよくわかるように、一対の基礎梁６，６を跨ぐようにしてそれらの外側に延設してあるが、橋軸方向に沿った一対の基礎梁６，６の上方に配置してあるので、一対の基礎梁６，６と干渉することはない。
【００３２】
本実施形態に係る高架橋の耐震補強構造１を構築するには、まず図４に示すように、一対の基礎梁６，６の外側に沿って鋼矢板１３ａを地盤１４に埋設するとともに、一対の直交基礎梁７，７の内側に沿って鋼矢板１３ｂを地盤１４に埋設する。
【００３３】
鋼矢板１３ａ及び鋼矢板１３ｂは、バイブロハンマーによって地盤１４に揺動圧入するようにしてもよいし、油圧ハンマーによって地盤１４に打ち込むようにしてもよい。いずれにしろ、鋼矢板１３ａ及び鋼矢板１３ｂの施工については、従来行われている公知の方法に従って行えばよい。
【００３４】
次に、鋼矢板１３ａ及び鋼矢板１３ｂで囲まれた地盤を掘り下げて矩形状平面空間を形成し、次いで図５に示すように、該矩形状平面空間に鉄筋コンクリート床板６２を構築する。このとき、鋼矢板１３ａ及び鋼矢板１３ｂの頭部が鉄筋コンクリート床板６２に接合されるよう、例えば鋼矢板１３ａ及び鋼矢板１３ｂの頭部にスタッドを溶接するとともに、コンクリートが打設される矩形状平面空間に必要に応じて補強筋を配筋し、かかる状態で矩形状平面空間にコンクリートを打設するのがよい。
【００３５】
次に、鉄筋コンクリート床板６２の直上に立体ダンパーブレース７１を配置する。
【００３６】
本実施形態に係る高架橋の耐震補強構造１において地震時に上部構造２から作用する水平力は図６に示すように、既設の基礎構造５に流れるほか、立体ダンパーブレース７１を介して耐震補強工事であらたに増設した基礎構造６３にも流れ、鋼矢板１３ａと地盤１４との摩擦で生じる引抜き抵抗力や圧縮抵抗力で支持されるとともに、鋼矢板１３ｂと地盤１４との摩擦で生じるせん断抵抗力で支持される。
【００３７】
また、履歴減衰ダンパー７３は、ラーメン架構４からの強制変形（水平力）と鉄筋コンクリート床板６２からの強制変形（回転モーメント）による相対変形でエネルギー吸収を行うようになっており、鉄筋コンクリート床板の回転剛性が十分大きい場合、ダンパーのせん断変形角γ１は図７(a)に示すように、主としてラーメン架構の変形量に応じた大きさとなる。
【００３８】
一方、鉄筋コンクリート床板の回転剛性が小さい場合、ダンパーのせん断変形角γ2は同図(b)に示すように、鉄筋コンクリート床板が回転する分だけ、γ１よりも小さくなり、その結果、ダンパーに入る相対変形が小さくなり、本来のエネルギー吸収能が十分に発揮されない。
【００３９】
しかし、本実施形態に係る高架橋の耐震補強構造１においては、橋軸方向に沿った一対の基礎梁６，６に沿って埋設される鋼矢板１３ａ，１３ａは橋軸から近い側ではなく、橋軸から遠い側で地盤１４に埋設してあるので、基礎構造６３の回転中心から引抜き抵抗力や圧縮抵抗力の作用点までの距離が大きくなり（図６中、Ｌで記した長さ）、基礎構造６３の回転剛性が増大する。
【００４０】
そのため、高架橋の耐震補強構造１は図７(a)に示した通り、鉄筋コンクリート床板６２から受ける回転変形が小さくなり、かくしてラーメン架構４から受ける水平変形が履歴減衰ダンパー７３に入る相対変形として大きく寄与することととなり、履歴減衰ダンパー７３は本来のエネルギー吸収能を十分に発揮する。
【００４１】
以上説明したように、本実施形態に係る高架橋の耐震補強構造１によれば、ラーメン架構４を介して既設の基礎構造５に流れていた地震時水平力は、耐震補強後、その一部が、増設された基礎構造６３に立体ダンパーブレース７１を介して流れ、結果として、高架橋上部構造２からの地震時水平力を、既設の基礎構造５のみならず、基礎構造６３にあらたに負担させることが可能となり、かくして、高架橋の下部構造のうち、地下部分を耐震補強することができる。
【００４２】
また、本実施形態に係る高架橋の耐震補強構造１によれば、橋軸方向に沿った一対の基礎梁６，６に沿って埋設される鋼矢板１３ａは、橋軸から近い側ではなく、橋軸から遠い側で地盤１４に埋設されるので、基礎構造６３の回転剛性が増大して鉄筋コンクリート床板６２から受ける回転変形が小さくなる。
【００４３】
そのため、ラーメン架構４から受ける水平変形が履歴減衰ダンパー７３に入る相対変形として大きく寄与することととなり、かくして履歴減衰ダンパー７３に本来のエネルギー吸収能を十分に発揮させることが可能となる。
【００４４】
本実施形態では、鉄筋コンクリート床板６２を橋軸方向に沿った一対の基礎梁６，６の上方に配置するようにしたが、鉄筋コンクリート床板と一対の基礎梁との干渉を避けることができるのであればどのような構成でもかまわない。
【００４５】
例えば、図８に示すように、鉄筋コンクリート床板６２を一対の基礎梁６，６にくぐらせるように該基礎梁の下方に配置してもよい。かかる変形例においては、鋼矢板１３ａ，１３ｂを地盤１４に埋設した後、その内側の領域を基礎梁６，６の下方位置まで掘削して矩形状平面空間を形成し、次いで、鉄筋コンクリート床板６２が基礎梁６，６の下方に位置するように、該鉄筋コンクリート床板を矩形状平面空間に構築した後、鉄筋コンクリート床板６２の直上に立体ダンパーブレース７１を配置すればよい。
【００４６】
なお、図８に示した変形例に係る高架橋の耐震補強構造８１は、鉄筋コンクリート床板６２が一対の基礎梁６，６の上方ではなく下方である点を除き、上述した実施形態と同一の構成であるとともに、同一の作用効果を奏するが、ここではその説明を省略する。
【図面の簡単な説明】
【００４７】
【図１】本実施形態に係る高架橋の耐震補強構造の鉛直断面図。
【図２】Ａ−Ａ線に沿う水平断面図。
【図３】Ｂ−Ｂ線に沿う鉛直断面図。
【図４】本実施形態に係る高架橋の耐震補強構造の構築手順を示した図。
【図５】引き続き構築手順を示した図。
【図６】本実施形態に係る高架橋の耐震補強構造における作用を示した図。
【図７】同じく本実施形態に係る高架橋の耐震補強構造における作用を示した図。
【図８】変形例に係る高架橋の耐震補強構造を示した鉛直断面図。
【符号の説明】
【００４８】
１，８１                      高架橋の耐震補強構造
２                            高架橋の上部構造
３                            高架橋の下部構造
４                            ラーメン架構
５                            基礎構造（第１の基礎構造）
６                            基礎梁
７                            直交基礎梁
８                            柱
１３ａ，１３ｂ                鋼矢板
１４                          地盤
６２                          鉄筋コンクリート床板
６３                          基礎構造（第２の基礎構造）
７１                          立体ダンパーブレース（立体ブレース）
７２                          ブレース本体
７３                          履歴減衰ダンパー（ダンパー）
【図１】
2010101108.tif 000003
【図２】
2010101108.tif 000004
【図３】
2010101108.tif 000005
【図４】
2010101108.tif 000006
【図５】
2010101108.tif 000007
【図６】
2010101108.tif 000008
【図７】
2010101108.tif 000009
【図８】
2010101108.tif 000010